(57)【要約】【課題】チューブ容器から出る内容物の審美性を保つチューブ容器用の逆止弁を提供することを課題とする。【解決手段】チューブ容器２用の逆止弁１であって、チューブ容器２の内外を連通する口部３の経路の途中に設けられ、内容物がチューブ容器２の外側から内側へ流れると経路を閉じる弁体８と、経路を、弁体８が配置される弁室２０とチューブ容器２の外側とに隔てる基部１１と、基部１１から弁体８へ向けて突出する中空の突出部７であって、突出部７の内側がチューブ容器２の外側と連通する突出部７と、突出部７の先端部に設けられ、突出部７の内側と弁室２０とを連通する、突出部７の突出方向と略直交する方向に開口する孔１６と、を備える。【選択図】図１
2011037456.tif 000002
【特許請求の範囲】
【請求項１】
チューブ容器用の逆止弁であって、
前記チューブ容器の内外を連通する口部の経路の途中に設けられ、内容物が該チューブ容器の外側から内側へ流れると該経路を閉じる弁体と、
前記経路を、前記弁体が配置される弁室と前記チューブ容器の外側とに隔てる基部と、
前記基部から前記弁体へ向けて突出する中空の突出部であって、該突出部の内側が前記チューブ容器の外側と連通する突出部と、
前記突出部の先端部に設けられ、該突出部の内側と前記弁室とを連通する、該突出部の突出方向と略直交する方向に開口する孔と、を備える、
チューブ容器用の逆止弁。
【請求項２】
前記チューブ容器の口部に嵌合可能な、前記弁室を内部に形成する管状部材を更に備え、
前記基部は、前記管状部材の一端に設けられて該環状部材の内部を覆い、
前記管状部材は、前記基部で覆われている側が前記チューブ容器の外側を向くように前記口部に嵌合される、
請求項１に記載のチューブ容器用の逆止弁。
【請求項３】
前記突出部に嵌り、前記弁体を閉方向へ付勢する螺旋状の付勢部材を更に備える、
請求項１または２に記載のチューブ容器用の逆止弁。
【発明の詳細な説明】
【技術分野】
【０００１】
本発明は、チューブ容器用の逆止弁に関する。
【背景技術】
【０００２】
チューブ容器には、口部における内容物の逆流を防いで容器内に気相部ができるのを防ぐ逆止弁を備えたものがある（例えば、特許文献１を参照）。
【先行技術文献】
【特許文献】
【０００３】
【特許文献１】実開昭６２−８９３７号公報
【発明の概要】
【発明が解決しようとする課題】
【０００４】
逆止弁は、弁体の可動域を確保するため、内容物の流路にある程度の空間が確保される。また、チューブ容器の場合、内容物として粘性のものが多く収容されるため、弁を確実に動作させるために弁体の径をある程度の大きさにする必要がある。しかし、弁体の径が大きいと内容物の流路となる弁室の空間が大きくなるため、内容物が気相部と触れていると当該部分で品質の劣化を招来し、チューブ容器から出る内容物の審美性を低下させる虞がある。
【０００５】
本発明は、このような課題に鑑みてなされたものであり、チューブ容器から出る内容物の審美性を保つチューブ容器用の逆止弁を提供することを課題とする。
【課題を解決するための手段】
【０００６】
本発明は、上記課題を解決するため、弁体の下流側に設けた孔であって、チューブ容器の内外を連通する経路と略直交する方向に開口する孔を介して内容物がチューブ容器から出るようにした。
【０００７】
詳細には、チューブ容器用の逆止弁であって、前記チューブ容器の内外を連通する口部の経路の途中に設けられ、内容物が該チューブ容器の外側から内側へ流れると該経路を閉じる弁体と、前記経路を、前記弁体が配置される弁室と前記チューブ容器の外側とに隔てる基部と、前記基部から前記弁体へ向けて突出する中空の突出部であって、該突出部の内側が前記チューブ容器の外側と連通する突出部と、前記突出部の先端部に設けられ、該突出部の内側と前記弁室とを連通する、該突出部の突出方向と略直交する方向に開口する孔と、を備える。
【０００８】
このチューブ容器用逆止弁であれば、内容物の流れ方向を規制する弁体の下流側に設けられる基部によって、チューブ容器の内外を連通する経路が弁室とチューブ容器の外側とに隔てられる。そして、この基部に設けられた弁体へ突出する中空の突出部の先端部に設けられた孔を介して、弁体から流れてきた内容物がチューブ容器の外側へ流出する。この孔は、突出部の突出方向と略直交する方向に開口しているため、上流側から流れてくる内容物がこの孔を通過する際に流れの向きが変わる。そして、内容物が突出部の内部からチューブ容器の外側へ流出するので、内容物が攪拌された状態でチューブ容器の外側へ流出する。このため、内容物の成分が分離していても均質化されて流出するので、チューブ容器から出る内容物の審美性を保つことができる。
【０００９】
また、上記チューブ容器用の逆止弁は、前記チューブ容器の口部に嵌合可能な、前記弁
室を内部に形成する管状部材を更に備え、前記基部は、前記管状部材の一端に設けられて該環状部材の内部を覆い、前記管状部材は、前記基部で覆われている側が前記チューブ容器の外側を向くように前記口部に嵌合されるものであってもよい。このように構成されるチューブ容器用の逆止弁であれば、既製のチューブ容器の口部に嵌め込む事ができる。
【００１０】
また、上記チューブ容器用の逆止弁は、前記突出部に嵌り、前記弁体を閉方向へ付勢する螺旋状の付勢部材を更に備えるものであってもよい。このように構成されるチューブ容器用の逆止弁であれば、螺旋状の付勢部材の内部の空間が突出部に占有されるので、弁体の動作を補償しつつチューブ容器から出る内容物の審美性を保つことができる。
【発明の効果】
【００１１】
チューブ容器から出る内容物の審美性を保つチューブ容器用の逆止弁を提供することが可能となる。
【図面の簡単な説明】
【００１２】
【図１】チューブ容器の構造図である。
【図２】逆止弁の構成を示す図である。
【図３】弁の斜視図である。
【図４】内スリーブノズルの斜視図である。
【図５】内スリーブノズルの内部構造図である。
【図６】弁箱の斜視図である。
【図７】弁箱の内部構造図である。
【図８】内容物の流路を閉じているときの逆止弁の状態図である。
【図９】内容物の流路を開いているときの逆止弁の状態図である。
【発明を実施するための形態】
【００１３】
以下、本願発明の実施形態について説明する。以下に説明する実施形態は、本願発明の実施態様を例示的に示すものであり、本願発明はこのような実施形態に限定されるものではない。
【００１４】
本願発明の実施形態に係る逆止弁を設けたチューブ容器の構造を図１に示す。本実施形態に係る逆止弁１は、図１に示すように、チューブ容器２に形成された口部３に嵌められる。チューブ容器２は、化粧料といった粘性で液体状の内容物を入れる容器であり、口部３の出口側に先細り状の先端ノズル４を有している。チューブ容器２は、ユーザの手の力で弾性変形可能な樹脂製であり、加えた力を解除すると形が復元する。チューブ容器２の口部３に嵌められた逆止弁１は、内容物がチューブ容器２の内側から外側へ流れるのを許可し、外側から内側へ逆流するのを禁止する。よって、ユーザがチューブ容器２から内容物を押し出した後に、空気がチューブ容器２内に吸い込まれることが無い。
【００１５】
逆止弁１の構成を図２に示す。逆止弁１は、図２に示すように、弁箱５、弁箱５に収容される弁６、及び弁６を弁箱５内で押さえる内スリーブノズル７で構成されている。
【００１６】
弁６の斜視図を図３に示す。図３（ａ）が斜め下側から見た弁６の斜視図であり、図３（ｂ）が斜め上側から見た弁６の斜視図である。弁６は、図３に示すように、弁体８、弁体８に一端が連結される脚９、及び脚９の他端が連結される環１０で構成される。弁体８は、円板状の部材であり、弁箱５内を流通するチューブ容器２の内容物の流れを受けると弁箱５内で動き、流路を開閉する機能を司る。脚９は、弁体８の周縁から螺旋状に立設し、上端が環１０に連結される線状の部材であり、弁体８の周縁上で均等な間隔を開けて３つ設けられている。環１０は、環状の部材であり、下縁に３つの脚９が連結されている。
【００１７】
内スリーブノズル７の斜視図を図４に示す。図４（ａ）が斜め下側から見た内スリーブノズル７の斜視図であり、図４（ｂ）が斜め上側から見た内スリーブノズル７の斜視図である。内スリーブノズル７は、図４に示すように、円柱状の部材であり、上端につば１１が設けられている。よって、内スリーブノズル７は、つば１１から円柱状の部材が突出するような形状となっている。また、内スリーブノズル７の側面には、径が互いに異なることにより段差１２を形成する上段面１３と下段面１４が設けられている。内スリーブノズル７は、図２で示したように弁６の環１０内に挿入すると、上段面１３が環１０の内周面に当接し、つば１１が環１０の上面に当接することで、弁６の環１０と係合する。
【００１８】
内スリーブノズル７の内部構造を図５に示す。内スリーブノズル７は、図５に示すように、上端から下方向へ向けて延びる通路１５と、通路１５の下端から側方へ貫通される２つの孔１６とを有している。よって、弁箱５内を通過するチューブ容器２の内容物は、孔１６を介して通路１５内へ流入し、通路１５の上方へ流れることとなる。なお、孔１６の数は、２つに限定されるものでなく、内容物の性状等に応じて適宜調整する。また、孔１６の径についても、内容物の粘度等の性状に応じて適宜調整する。すなわち、後述する弁座１９に形成されている孔１９ａの径（断面積として捉えることもできる）に対する孔１６の大きさや数の組み合わせを変えることで、孔１６から通路１５へ流れる内容物の流速を変えることができる。例えば、孔１９ａの径（断面積）に対する孔１６の大きさ（孔１６が複数ある場合は全ての大きさ、すなわち、“孔の径（断面積）×穴数”として捉える）が小さければ、孔１６を通過する内容物の流速は速くなる。
【００１９】
弁箱５の斜視図を図６に示す。図６（ａ）が斜め下側から見た弁箱５の斜視図であり、図６（ｂ）が斜め上側から見た弁箱５の斜視図である。また、弁箱５の内部構造を図７に示す。弁箱５は、上が開放された円筒状の部材であり、弁箱５の外側面１７がチューブ容器２の口部３に嵌るように形成されている。また、弁箱５は、図２に示したように弁６が挿入されると、弁６の環１０の外周面と弁箱５の内周面１８とが当接することで、環１０と弁箱５とが係合するようになっている。
【００２０】
内容物の流路を閉じているときの逆止弁１の状態を図８に示す。弁箱５は、底が弁座になっており、弁６が内部に嵌められると、弁体８が弁座１９に当接した状態になる。弁体８がこのように脚９に支持されて弁座１９に当接することにより、外側から内側へ逆流するのが禁止されることとなる。
【００２１】
上述した逆止弁１内の内容物の流れを説明する。内容物の流路を開いているときの逆止弁１の状態を図９に示す。ユーザによってチューブ容器２に力が加えられると、弁座１９を通過した内容物が弁体８を押し上げる。これにより、内容物等の流体がチューブ容器２の内側から外側へ流れるのが許可される。なお、図９では、内容物の流れを図示するために脚９を省略している。内容物によって押し上げられた弁体８は、内スリーブノズル７の下端に当接して止まる。弁座１９を通過した内容物は、弁箱５の内周面１８と内スリーブノズル７の下段面１４との間に形成される間隙２０内に流入するものの、その下流側にある孔１６が２つしか設けられていないため、間隙２０内で攪拌された後に孔１６を通って通路１５内に流入し、先端ノズル４の先から流出していくこととなる。
【００２２】
上記実施形態の効果に関する実証実験の結果について説明する。本実証実験では、先端ノズル無しのチューブ容器（テストＩ）と先端ノズル付きのチューブ容器（テストＩＩ）の２種類について、上述した実施形態に係る逆止弁１を適用した場合の効果を検証している。なお、内容物は、オイルゲル品や、クリーム、クレンジング、リキッドファンデーション等の乳化物であり、チューブ容器２に充填後約１ヶ月間放置することで、気相部に分離した油分が溜まるようにしたものである。本実証実験においては、内スリーブノズル７に孔１６を２つ設けたものをサンプル１、孔１６を４つ設けたものをサンプル２、孔１６
を６つ設けたものをサンプル３としている。また、比較例として、内スリーブノズル７を設けていない従来からある逆止弁を通常品としている。各サンプルについての実証実験の結果を下記の表１に示す。
【表１】
2011037456.tif 000003
【００２３】
表１において、内容物が均質に出たものを「○」、容器内で分離した成分が不均質に出たものを「×」としている。チューブ容器に内容物を充填する際は、空気溜りがなるべく生じないように充填されるが、充填ノズルの形状や充填タイミング等に工夫を施しても、チューブ容器の肩部やチューブ先端部（ノズル）には空気が不可避的に残る。内容物の粘性が高い場合は大きい空気溜りが生じやすく、このような空気溜りを完全に解消するには、チューブ容器内を真空引きする装置等が必要となり、技術的な課題の多さから内容物の充填を行なう装置にはあまり採用されない。よって、逆止弁が通常品の場合、チューブ容器から内容物を押し出すと、チューブ容器内で内容物から分離していたオイル分や水分が有効成分と混じり合うことなくチューブ容器から出ていくことになる。しかし、上記実施形態に係る逆止弁１であれば、表１から明らかなように、従来からある逆止弁に比べて優位な効果を奏することができる。すなわち、従来の逆止弁を使った場合のように、チューブ容器内で内容物から分離していたオイル分や水分が有効成分と混じり合うことなくチューブ容器から出ていくと、チューブ容器から出た内容物の審美性が損なわれ、ユーザに良い印象を与えない。一方、上記実施形態に係る逆止弁１であれば、弁箱５内の空間が狭く、弁座１９を通過した内容物が間隙２０内で攪拌された後に孔１６を通って通路１５から外へ出て行くので、チューブ容器内で内容物から分離していたオイル分や水分が有効成分と混じり合いながらチューブ容器から出ていく。このため、チューブ容器から出た内容物の審美性が保たれ、ユーザに良い印象を与える。表１は、チューブ容器から押し出した内容物の出方や状態、混ざり具合の良否を示したものであり、上記実施形態に係る逆止弁１であれば、従来からある逆止弁に比べて良好な結果が得られることが判る。既述したように、孔１９ａの径（断面積）に対する孔１６の大きさや数の組み合わせを変えることで、孔１６から通路１５へ流れる内容物の流速を変えることができるため、例えば、孔１６を通過する内容物の流速を速くすれば、間隙２０内で更に効果的に攪拌されるようになる。よって、チューブ容器から出た内容物の審美性や押し出しやすさ等を総合的に勘案し、孔１９ａの径に対する孔１６の大きさや数を適宜組み合わせる。
【符号の説明】
【００２４】
１・・逆止弁
２・・チューブ容器
３・・口部
７・・内スリーブノズル
８・・弁体
【図１】
2011037456.tif 000004
【図２】
2011037456.tif 000005
【図３】
2011037456.tif 000006
【図４】
2011037456.tif 000007
【図５】
2011037456.tif 000008
【図６】
2011037456.tif 000009
【図７】
2011037456.tif 000010
【図８】
2011037456.tif 000011
【図９】
2011037456.tif 000012